(57)【要約】【課題】外出に際して、施設に対応する所定機器をより適切な状態とすること。【解決手段】制御装置６によって、携帯電話機１の非接触ＩＣチップと非接触ＩＣリーダ／ライタ２とによる通信によって宅内機器５の情報を送信し、携帯電話機１によって、送信された情報に基づいて宅内機器５の状態に関する情報をシステム利用者に通知するようにした。そのため、システム利用者が出入り口を施錠しようと携帯電話機１を非接触ＩＣリーダ／ライタ２にかざしたときに、住居に対応する宅内機器５の状態を携帯電話機１によってシステム利用者に通知でき、宅内機器５の状態をシステム利用者に把握させ、システム利用者に宅内機器５をより適切な状態に制御させることができる。【選択図】  図１
2008306534.tif 000002
【特許請求の範囲】
【請求項１】
非接触ＩＣチップを搭載する携帯端末と、前記非接触ＩＣチップと通信可能な非接触ＩＣリーダ／ライタを有する制御装置と、施設の出入り口の施解錠を行う電気錠と、を備え、
前記制御装置は、前記非接触ＩＣリーダ／ライタと前記非接触ＩＣチップとが通信可能な状態になると、前記電気錠に施解錠を行わせると共に前記施設に対応する所定機器の状態の情報を当該通信によって前記携帯端末に送信し、
前記携帯端末は、前記制御装置から前記所定機器の状態の情報が送信されると、送信された情報に基づいて前記所定機器の状態に関する情報のシステム利用者への通知及び前記所定機器の制御の少なくとも一方を含む所定処理を行うことを特徴とする機器制御システム。
【請求項２】
前記所定機器の機器ＩＤのリストを取得し、取得したリストを前記携帯端末に送信するリスト送信装置を備え、
前記制御装置は、前記所定機器に固有の機器ＩＤのリストを取得し、前記非接触ＩＣリーダ／ライタと前記非接触ＩＣチップとが通信可能な状態になると、前記機器ＩＤで特定される所定機器の状態を示す状態パラメータを前記リストに載っている順番通りに配列して形成される配列データを当該通信によって前記携帯端末に送信し、
前記携帯端末は、前記制御装置から前記配列データが送信されると、送信された配列データと前記リスト送信装置から送信されたリストとを参照し、前記配列データに含まれる状態パラメータと当該状態パラメータの当該リストにおける順番に対応する前記所定機器とを対応づけて、各所定機器に固有の機器ＩＤと当該機器ＩＤで特定される前記所定機器の状態を示す状態パラメータとの組を作成し、作成された組に基づいて前記所定処理を行うことを特徴とする請求項１に記載の機器制御システム。
【請求項３】
前記携帯端末は、携帯電話の移動通信網を介して前記リスト送信装置と通信可能に構成されており、
前記リスト送信装置は、前記施設外に設置され、前記所定機器の機器ＩＤのリストを前記移動通信網を介して前記携帯端末に送信することを特徴とする請求項２に記載の機器制御システム。
【請求項４】
前記携帯端末は、前記前記非接触ＩＣリーダ／ライタと前記非接触ＩＣチップとによる通信以外のワイヤレス通信によって前記リスト送信装置と通信可能に構成されており、
前記リスト送信装置は、前記施設内に設置され、前記所定機器の機器ＩＤのリストを前記ワイヤレス通信によって前記携帯端末に送信することを特徴とする請求項２に記載の機器制御システム。
【請求項５】
前記施設内に設置され、前記携帯機器と前記リスト送信装置とを通信可能な状態とする携帯機器用クレードルを備え、
前記リスト送信装置は、前記所定機器の機器ＩＤのリストを前記クレードルを介して前記携帯端末に送信することを特徴とする請求項２に記載の機器制御システム。
【請求項６】
前記出入り口が開放状態にあるか否かを検出する開放状態検出センサを備え、
前記制御装置は、前記開放状態検出センサによって出入り口が開放状態であることが検出されたときに、前記機器の状態の情報を取得することを特徴とする請求項１から５のいずれか１項に記載の機器制御システム。
【請求項７】
非接触ＩＣチップを搭載する携帯端末と、前記非接触ＩＣチップと通信可能な非接触ＩＣリーダ／ライタを有する制御装置と、施設の出入り口の施解錠を行う電気錠と、を備えた機器制御システムに用いられる携帯端末であって、
記情制御装置から前記施設に対応する所定機器の状態の情報が送信されると、送信された情報に基づいて前記所定機器の状態に関する情報のシステム利用者への通知及び前記所定機器の制御の少なくとも一方を含む所定処理を行うことを特徴とする携帯端末。
【請求項８】
非接触ＩＣチップを搭載する携帯端末と、前記非接触ＩＣチップと通信可能な非接触ＩＣリーダ／ライタを有する制御装置と、施設の出入り口の施解錠を行う電気錠と、を備えた機器制御システムに用いられる制御手段であって、
前記非接触ＩＣリーダ／ライタと前記非接触ＩＣチップとが通信可能な状態になると、前記電気錠に施解錠を行わせると共に前記施設に対応する所定機器の状態の情報を当該通信によって前記携帯端末に送信することを特徴とする制御装置。
【発明の詳細な説明】
【技術分野】
【０００１】
本発明は、所定機器の状態に関する情報のシステム利用者への通知や前記所定機器の制御を行う機器制御システム、携帯端末及び制御装置に関する。
【背景技術】
【０００２】
従来、この種の技術としては、例えば、宅内情報を管理センターで随時収集しておき、システム利用者が携帯電話機によって管理センターにアクセスし、宅内情報を携帯電話機で取得することで、宅内情報を通知するものがある（例えば、特許文献１参照）。
【特許文献１】特開２００２−１０９６６０号公報
【発明の開示】
【発明が解決しようとする課題】
【０００３】
しかしながら、上記従来の技術にあっては、システム利用者が携帯電話機を操作して管理センターにアクセスしないと、宅内情報を取得できないので、例えば、テレビ、照明、エアコン等の宅内機器を消し忘れてシステム利用者が外出した場合に、消し忘れであることをシステム利用者が知ることができるタイミングが遅くなる恐れがあった。
本発明は、上記従来の技術に鑑みてなされたものであって、外出に際して、施設に対応する所定機器をより適切な状態とすることができる機器制御システム、携帯端末及び制御装置を提供することを課題とする。
【課題を解決するための手段】
【０００４】
上記の課題を達成するため、本発明の機器制御システムにあっては、非接触ＩＣチップを搭載する携帯端末と、前記非接触ＩＣチップと通信可能な非接触ＩＣリーダ／ライタを有する制御装置と、施設の出入り口の施解錠を行う電気錠と、を備え、前記制御装置は、前記非接触ＩＣリーダ／ライタと前記非接触ＩＣチップとが通信可能な状態になると、前記電気錠に施解錠を行わせると共に前記施設に対応する所定機器の状態の情報を当該通信によって前記携帯端末に送信し、前記携帯端末は、前記制御装置から前記所定機器の状態の情報が送信されると、送信された情報に基づいて前記所定機器の状態に関する情報のシステム利用者への通知及び前記所定機器の制御の少なくとも一方を含む所定処理を行うことを特徴とする。
【０００５】
また、前記所定機器の機器ＩＤのリストを取得し、取得したリストを前記携帯端末に送信するリスト送信装置を備え、前記制御装置は、前記所定機器に固有の機器ＩＤのリストを取得し、前記非接触ＩＣリーダ／ライタと前記非接触ＩＣチップとが通信可能な状態になると、前記機器ＩＤで特定される所定機器の状態を示す状態パラメータを前記リストに載っている順番通りに配列して形成される配列データを当該通信によって前記携帯端末に送信し、前記携帯端末は、前記制御装置から前記配列データが送信されると、送信された配列データと前記リスト送信装置から送信されたリストとを参照し、前記配列データに含まれる状態パラメータと当該状態パラメータの当該リストにおける順番に対応する前記所定機器とを対応づけて、各所定機器に固有の機器ＩＤと当該機器ＩＤで特定される前記所定機器の状態を示す状態パラメータとの組を作成し、作成された組に基づいて前記所定処理を行うものでもよい。
【０００６】
さらに、前記携帯端末は、携帯電話の移動通信網を介して前記リスト送信装置と通信可能に構成されており、前記リスト送信装置は、前記施設外に設置され、前記所定機器の機器ＩＤのリストを前記移動通信網を介して前記携帯端末に送信するものでもよい。
また、前記携帯端末は、前記前記非接触ＩＣリーダ／ライタと前記非接触ＩＣチップとによる通信以外のワイヤレス通信によって前記リスト送信装置と通信可能に構成されており、前記リスト送信装置は、前記施設内に設置され、前記所定機器の機器ＩＤのリストを前記ワイヤレス通信によって前記携帯端末に送信するものでもよい。
【０００７】
さらに、前記施設内に設置され、前記携帯機器と前記リスト送信装置とを通信可能な状態とする携帯機器用クレードルを備え、前記リスト送信装置は、前記所定機器の機器ＩＤのリストを前記クレードルを介して前記携帯端末に送信するものでもよい。
また、前記出入り口が開放状態にあるか否かを検出する開放状態検出センサを備え、前記制御装置は、前記開放状態検出センサによって出入り口が開放状態であることが検出されたときに、前記機器の状態の情報を取得するものでもよい。
【０００８】
さらに、本発明に係る携帯機器にあっては、非接触ＩＣチップを搭載する携帯端末と、前記非接触ＩＣチップと通信可能な非接触ＩＣリーダ／ライタを有する制御装置と、施設の出入り口の施解錠を行う電気錠と、を備えた機器制御システムに用いられる携帯端末であって、記情制御装置から前記施設に対応する所定機器の状態の情報が送信されると、送信された情報に基づいて前記所定機器の状態に関する情報のシステム利用者への通知及び前記所定機器の制御の少なくとも一方を含む所定処理を行うことを特徴とする。
【０００９】
また、本発明に係る制御装置にあっては、非接触ＩＣチップを搭載する携帯端末と、前記非接触ＩＣチップと通信可能な非接触ＩＣリーダ／ライタを有する制御装置と、施設の出入り口の施解錠を行う電気錠と、を備えた機器制御システムに用いられる制御手段であって、前記非接触ＩＣリーダ／ライタと前記非接触ＩＣチップとが通信可能な状態になると、前記電気錠に施解錠を行わせると共に前記施設に対応する所定機器の状態の情報を当該通信によって前記携帯端末に送信することを特徴とする。
【発明の効果】
【００１０】
本発明にあっては、システム利用者が出入り口を施錠しようと携帯端末を非接触ＩＣリーダ／ライタにかざしたときに、施設に対応する所定機器の状態を携帯端末によってシステム利用者に通知したり自動的に制御したりすることができ、例えば、システム利用者に携帯電話機を操作させ、所定機器の状態に関する情報を取得させてシステム利用者に所定機器を制御させる方法に比べ、外出に際して、施設に対応する所定機器をより適切な状態とすることができる。
【発明を実施するための最良の形態】
【００１１】
以下、本発明を、システム利用者の住居の玄関ドアの施解錠の制御と当該住居に対応する宅内機器の状態に関する情報のシステム利用者への通知とを行う機器制御システムに適用した実施形態を図面に基づいて説明する。
＜構成＞
図１は、本実施形態の機器制御システムの概略構成を示す構成図である。
機器制御システムは、図１に示すように、携帯電話機１、非接触ＩＣリーダ／ライタ（非接触ＩＣＲ／Ｗ、Ｆｅｌｉｃａリーダ）２、電気錠３、ドア開閉センサ４、宅内機器５、制御装置６及びサーバ装置７を備える。
【００１２】
図２は、携帯電話機１の内部構成を示すブロック図である。
携帯電話機１は、システム利用者によって持ち運ばれるものであり、図２に示すように、非接触ＩＣチップ（Ｆelicaチップ）８及びアプリケーション制御部９を備える。
非接触ＩＣチップ８は、非接触ＩＣリーダ／ライタ２の通信圏内に入ると、非接触ＩＣリーダ／ライタ２と通信可能な状態となり、非接触ＩＣチップ８と非接触ＩＣリーダ／ライタ２との通信によって制御装置６とアプリケーション制御部９とを互いに通信可能な状態とする。
【００１３】
ここで、非接触ＩＣチップ８は、固有の認証情報を保持している。
アプリケーション制御部９は、ネットワーク（携帯電話の移動通信網）１０及び非接触ＩＣチップ８を介してサーバ装置７から送信される宅内機器５のリストのデータ、つまり、宅内ネットワーク（システム利用者の宅内網）１１に接続されている各宅内機器５に固有の機器ＩＤが順番に並べられたリストのデータを受信すると、受信したデータからリストを取得して保持する。
【００１４】
また、アプリケーション制御部９は、図３に示すように、非接触ＩＣリーダ／ライタ２と非接触チップ８とによる通信によって制御装置６から送信される配列データ、つまり、後述するようにサーバ装置７から取得されるリストの順番通りに並べられた宅内機器５の状態を示す状態パラメータ列（例えば、ＯＮ・ＯＦＦ状態を示すデータ列）を受信すると、受信した配列データと前記リストとを照合し、配列データに含まれる状態パラメータと当該状態パラメータの当該リストにおける順番に対応する宅内機器５とを対応づけて、各宅内機器５に固有の機器ＩＤと当該機器ＩＤで特定される宅内機器５の状態を示す状態パラメータとの組を作成する。
【００１５】
さらに、アプリケーション制御部９は、非接触ＩＣリーダ／ライタ２を介して制御装置６から送信されるアプリケーション起動コマンドを受信すると、アプリケーションを起動し、作成された機器ＩＤと状態パラメータとの組に基づいて宅内機器５の消し忘れがあるか否かを判定する。そして、消し忘れがある場合には、消し忘れがあることを知らせるメッセージを携帯電話機１のディスプレイに表示し、システム利用者に通知する。
【００１６】
非接触ＩＣリーダ／ライタ２は、玄関ドア外側に設置され、携帯電話機１の非接触ＩＣチップ８が当該非接触ＩＣリーダ／ライタ２の通信圏内に入ると、非接触ＩＣチップ８と通信可能な状態となり、非接触ＩＣチップ８と非接触ＩＣリーダ／ライタ２との通信によって制御装置６とアプリケーション制御部９とを互いに通信可能な状態とする。
ドア開閉センサ４は、玄関ドアが開放状態にあるか否かを検出し、検出結果を制御装置６に出力する。
【００１７】
電気錠３は、制御装置６から送信される施解錠指令、つまり、玄関ドアの施解錠状態の切り替え指令を受信すると、玄関ドアが施錠状態であるか否かを判定する。そして、施錠状態である場合には玄関ドアを解錠状態とし、解錠状態である場合には玄関ドアを施錠状態とする。
宅内機器５は、テレビ、照明、エアコン、警備装置及び屋外監視カメラ等、住居の内外に設置されたシステム利用者の住居に付随する機器であり、宅内ネットワーク１１を介して制御装置６及びサーバ装置７と通信可能に接続されている。
【００１８】
図４は、制御装置６の内部構成を示すブロック図である。
制御装置６は、システム利用者の住居内に設置され、図４に示すように、通信部１２、家電機器監視部１３、Ｆｅｌｉｃａリーダ制御部１４、電気鍵制御部１５、情報通知部１６及び管理制御部１７を備える。
通信部１２は、非接触ＩＣリーダ／ライタ２、ドア開閉センサ４、電気錠３及び宅内ネットワーク１１（宅内機器５）と制御装置６の各部１３〜１７とを互いに通信可能に接続している。
【００１９】
家電機器監視部１３は、通信部１２及び宅内ネットワーク１１を介して当該宅内ネットワーク１１に接続されている宅内機器５それぞれに機器種類を随時問い合わせ、問い合わせ結果に基づいて宅内ネットワーク１１に接続されている宅内機器５のリストを作成して保持する。
また、家電機器監視部１３は、所定時間（例えば、１０msec.）が経過するたびに後述する情報収集処理を実行し、ドア開閉センサ４から出力される検出結果が玄関ドアの開放状態を示すものであるか否かを判定する。そして、開放状態を示すものである場合には、通信部１２及び宅内ネットワーク１１を介して当該宅内ネットワーク１１に接続されている宅内機器５それぞれに機器状態を問い合わせて宅内機器５の状態の情報（機器ＩＤと状態パラメータ状態との組の情報）を収集して保持する。
【００２０】
さらに、家電機器監視部１３は、所定時間が経過するたびに後述する情報送信処理を実行し、携帯電話機１の非接触ＩＣチップ８と非接触ＩＣリーダ／ライタ２とが通信可能な状態であるか否かを判定する。そして、通信可能な状態である場合には、家電機器監視部１３で収集・保持された状態パラメータのみを、家電機器監視部１３で取得・保持された宅内機器５のリストに載っている順番通りに配列して形成される配列データと、アプリケーション起動コマンドとを非接触ＩＣチップ８と非接触ＩＣリーダ／ライタ２とによる通信によって携帯電話機１に送信する。
【００２１】
Ｆｅｌｉｃａリーダ制御部１４は、携帯電話機１の非接触ＩＣチップ８と非接触ＩＣリーダ／ライタ２とが通信可能な状態になると、非接触ＩＣチップ８と非接触ＩＣリーダ／ライタ２との通信によって非接触ＩＣチップ８に保持されている認証情報を取得する。
電気鍵制御部１５は、Ｆｅｌｉｃａリーダ制御部１４で取得された認証情報が正当な認証情報であるか否かを判定し、正当な認証情報である場合には、通信部１２を介して電気錠３に施解錠指令を出力する。
【００２２】
図５は、サーバ装置７の内部構成を示すブロック図である。
サーバ装置７は、システム管理会社に設置され、図５に示すように、通信部１８、家電機器監視部１９及び管理制御部２０を備える。
通信部１８は、ネットワーク１０を介して、携帯電話機１及び宅内ネットワーク１１（宅内機器５、制御装置６）とサーバ装置７の各部１９、２０とを互いに通信可能に接続している。
【００２３】
家電機器監視部１９は、通信部１８、ネットワーク１０及び宅内ネットワーク１１を介して当該宅内ネットワーク１１に接続されている宅内機器５それぞれに機器種類を随時問い合わせ、問い合わせ結果に基づいて宅内ネットワーク１１に接続されている宅内機器５のリストを作成する。
管理制御部２０は、家電機器監視部１９で作成された宅内機器５のリストのデータを通信部１８及びネットワーク１０を介して携帯電話機１に送信する。
【００２４】
＜制御装置の動作＞
次に、制御装置６で実行される情報収集処理を図面に基づいて説明する。
図６は、情報収集処理のフローを示すフローチャートである。
この情報収集処理は、所定時間が経過するたびに実行される処理であって、まず、そのステップＳ１０１で、ドア開閉センサ４によって玄関ドアの開放が検出されたか否かを判定する（ドア開閉センサ４から出力される検出結果が玄関ドアの開放状態を示すものであるか否かを判定する）。検出された場合には（検出した）ステップＳ１０２に移行し、検出されていない場合には（検出しない）この判定を再び実行する。
前記ステップＳ１０２では、宅内ネットワーク１１に接続されている宅内機器５それぞれに機器状態を問い合わせて宅内機器５の情報（機器ＩＤと状態パラメータ状態との組の情報）を収集して保持してから、この演算処理を終了する。
【００２５】
図７は、情報送信処理のフローを示すフローチャートである。
この情報送信処理は、携帯電話機１と制御装置６とが互いに通信可能な状態になると実行される処理であって、まず、そのステップＳ２０１で、非接触ＩＣリーダ／ライタ２に携帯電話機１の非接触ＩＣチップ８がかざされたか否かを判定する（携帯電話機１の非接触ＩＣチップ８と非接触ＩＣリーダ／ライタ２とが通信可能な状態であるか否かを判定する）。非接触ＩＣチップ８がかざされた場合には（かざされた）ステップＳ２０２に移行し、非接触ＩＣチップ８がかざされていない場合には（かざされていない）この判定を再び実行する。
【００２６】
前記ステップＳ２０２では、収集・保持された状態パラメータのみを、取得・保持された宅内機器５のリストに載っている順番通りに配列して形成される配列データと、アプリケーション起動コマンドとを携帯電話機１の非接触ＩＣチップ８と非接触ＩＣリーダ／ライタ２とによる通信によって携帯電話機１に送信してから、この演算処理を終了する。
【００２７】
＜機器制御システムの動作＞
次に、機器制御システムの動作を具体的状況に基づいて説明する。
まず、サーバ装置７（家電機器監視部１９）によって、通信部１８、ネットワーク１０及び宅内ネットワーク１１を介して当該宅内ネットワーク１１に接続されている宅内機器５それぞれに機器種類が随時問い合わせられ、問い合わせ結果に基づいて各宅内機器５に固有の機器ＩＤが順番に並べられたリストが作成される。また、サーバ装置７（管理制御部２０）によって、作成された宅内機器５のリストのデータがネットワーク１０を介して携帯電話機１に送信される。そして、宅内機器５のリストのデータが携帯電話機１に受信されると、携帯電話機１（アプリケーション制御部９）によって、受信したデータからリストが取得されて保持される。
【００２８】
また、同時に、制御装置６（家電機器監視部１３）によって、通信部１２及び宅内ネットワーク１１を介して当該宅内ネットワーク１１に接続されている宅内機器５それぞれに機器種類が随時問い合わせられ、問い合わせ結果に基づいて宅内ネットワーク１１に接続されている宅内機器５のリスト、つまり、携帯電話機１に保持されているリストと同じリストが作成されて保持される。
【００２９】
ここで、携帯電話機１と制御装置６とに宅内機器５のリストが保持されている状態で、システム利用者が外出するために、玄関ドアを開けて外に出たとする。すると、ドア開閉センサ４によって、玄関ドアが開放状態にあることが検出され、検出結果が制御装置６に出力される。そして、制御装置６（家電機器監視部１３）によって、情報収集処理が実行され、ドア開閉センサ４から出力される検出結果が玄関ドアの開放状態を示すものであると判定され（図６のステップＳ１０１「検出した」）、通信部１２及び宅内ネットワーク１１を介して当該宅内ネットワーク１１に接続されている宅内機器５それぞれに機器状態（ＯＮ・ＯＦＦ状態）が問い合わせられて宅内機器５の状態の情報（機器ＩＤ、状態パラメータ）が収集・保持される。
【００３０】
また、外に出たシステム利用者が玄関ドアを施錠するために、携帯電話機１を非接触ＩＣリーダ／ライタ２にかざし、携帯電話機１の非接触ＩＣチップ８が非接触ＩＣリーダ／ライタ２の通信圏内に入ったとする。すると、携帯電話機１の非接触ＩＣチップ８と非接触ＩＣリーダ／ライタ２とが通信可能な状態となり、非接触ＩＣチップと８と非接触リーダ／ライタ２との通信によって制御装置６とアプリケーション制御部９とが互いに通信可能な状態とされる。そして、制御装置（家電機器監視部１３）によって、情報送信処理が実行され、携帯電話機１の非接触ＩＣチップ８と非接触ＩＣリーダ／ライタ２とが通信可能であると判定され（ステップＳ２０１「かざされた」）、状態パラメータのみを、宅内機器５のリストに載っている順番通りに配列して形成される配列データとアプリケーション起動コマンドとを非接触ＩＣチップ８と非接触ＩＣリーダ／ライタ２とによる通信によって携帯電話機１に出力する（ステップＳ２０２）。
【００３１】
また、携帯電話機１（アプリケーション制御部９）によって、制御装置６から送信された配列データ、つまり、サーバ装置７から取得されたリストの順番通りに並べられた宅内機器５の状態を示す状態パラメータが受信されると、受信されたデータと前記リストとが照合され、受信されたデータと当該データの順番に対応する宅内機器５とが対応づけられて各宅内機器５の状態の情報が作成される。また、アプリケーション起動コマンドが受信されると、アプリケーションが起動され、作成された機器ＩＤと状態パラメータとの組に基づいて宅内機器５の消し忘れがあるか否かが判定され、消し忘れがあると、消し忘れがあることを知らせるメッセージが携帯電話機１のディスプレイに表示される。
【００３２】
さらに、同時に、制御装置６（Ｆｅｌｉｃａリーダ制御部１４、電気鍵制御部１５）によって、非接触ＩＣチップ８と非接触ＩＣリーダ／ライタ２とによる通信によって非接触ＩＣチップ８に保持されている認証情報が取得され、取得された認証情報が正当な認証情報であると判定され、通信部１２を介して電気錠３に施解錠指令が出力される。そして、電気錠３によって、制御装置６から送信される施解錠指令が受信されると、玄関ドアが解錠状態であると判定され、玄関ドアが施錠される。
以上、本実施形態では、図１の携帯電話機１が特許請求の範囲に記載の携帯端末を構成し、以下同様に、図１のサーバ７がリスト送信装置を構成し、図１のドア開閉センサ４が開放状態検出装置を構成する。
【００３３】
＜作用・効果＞
（１）このように、本実施形態にあっては、制御装置６によって、非接触ＩＣリーダ／ライタ２と非接触ＩＣチップ８とによる通信によって宅内機器５の情報を送信し、携帯電話機１によって、送信された情報に基づいて宅内機器５の状態に関する情報をシステム利用者に通知するようにした。そのため、システム利用者が出入り口を施錠しようと携帯電話機１を非接触ＩＣリーダ／ライタ２にかざしたときに、住居に対応する宅内機器５の状態を携帯電話機１によってシステム利用者に通知でき、例えば、システム利用者に携帯電話機１を操作させ、宅内機器５の状態の情報を取得させてシステム利用者に宅内機器５を制御させる方法に比べ、宅内機器５の状態をより早いタイミングで通知することができる。そして、玄関ドアの施解錠を行うタイミングで、宅内機器５の状態をシステム利用者に把握させ、システム利用者に宅内機器５をより適切な状態に制御させることができる。
【００３４】
なお、本実施形態では、非接触ＩＣチップ８が搭載された携帯電話機１を用いてシステム利用者の住居の玄関ドアの施解錠の制御と当該住居に対応する宅内機器５の状態に関する情報のシステム利用者への通知とを行う例を示したが、これに限られるものではない。例えば、非接触ＩＣチップ８が搭載された専用の携帯端末を用いるようにしてもよい。
【００３５】
（２）また、制御装置６によって、宅内機器５の機器ＩＤのリストを取得し、非接触ＩＣリーダ／ライタ２と非接触ＩＣチップ８とが通信可能な状態になると、宅内機器５の状態を示す状態パラメータを前記リストに載っている順番通りに配列して形成される配列データを制御装置６から前記通信によって携帯電話機１に送信し、携帯電話機１によって、送信された配列データと前記リストとを参照し、前記配列データに含まれる状態パラメータと当該状態パラメータの当該リストにおける順番に対応する宅内機器５とを対応づけて、各宅内機器５に固有の機器ＩＤと当該機器ＩＤで特定される宅内機器５の状態を示す状態パラメータとの組を携帯電話機１で作成し、作成された組に基づいて宅内機器５の状態に関する情報を通知するようにした。そのため、宅内機器５の状態パラメータのみを取得するだけで、各宅内機器５の状態を把握することができ、例えば、図８に示すように、機器ＩＤと状態パラメータとの組を送信する方法に比べ、データ通信量を低減でき、宅内機器５の状態通知に要する送信時間を短縮することができる。
【００３６】
なお、本実施形態では、宅内機器５の状態に関する情報の携帯電話機１への通知のみ行う例を示したが、例えば、前記情報の通知に加えて、制御装置６から送信された宅内機器５の状態に関する情報に基づき携帯電話機１によって宅内機器５を制御するように構成してもよく、前記情報の通知を行わずに前記制御のみを行うように構成してもよい。
すなわち、携帯電話機１によって、消し忘れがある宅内機器５を自動的にＯＦＦ状態に変更したり、宅内機器５である警備装置を自動的にＯＮ状態の警備モードに変更したりしてもよい。そのようにすれば、非接触ＩＣチップ８が搭載された携帯電話機１をかざして玄関ドアの施解錠を行ったときに、宅内機器５の状態を自動的に制御でき、例えば、システム利用者に携帯電話機１を操作させ、宅内機器５の状態の情報を取得させて宅内機器５を制御させる方法に比べ、宅内機器５をより適切な状態とすることができる。
【００３７】
（３）さらに、サーバ装置７によって、宅内機器５の機器ＩＤのリストを取得し、取得したリストを携帯電話の移動通信網を介して携帯電話機１に送信するようにした。そのため、非接触ＩＣリーダ／ライタ２と非接触ＩＣチップ８との通信によって送信するデータ量を低減でき、宅内機器５の状態通知に要する送信時間を短縮することができる。
【００３８】
（４）また、携帯電話機１をＢｌｕｅｔｏｏｔｈ又はＷＬＡＮ（Ｗｉｒｅｌｅｓｓ  ＬＡＮ）等のワイヤレス通信によって制御装置６と通信可能に構成し、制御装置６によって、宅内機器５の機器ＩＤのリストを取得し、取得したリストを前記ワイヤレス通信によって携帯電話機１に送信するようにしてもよい。そのようにすれば、非接触ＩＣリーダ／ライタ２と非接触ＩＣチップ８との通信によって送信するデータ量を低減でき、宅内機器５の状態通知に要する送信時間を短縮することができる。
【００３９】
（５）さらに、携帯電話機１と制御装置６とを通信可能な状態とする携帯機器用クレードルを住居内に備え、制御装置６によって、携帯電話機６が前記携帯電話用クレードルに載置されたときに、宅内機器５の機器ＩＤのリストを取得し、取得したリストを前記クレードルを介して携帯電話機１に送信するようにしてもよい。そのようにすれば、非接触ＩＣリーダ／ライタ２と非接触ＩＣチップ８との通信によって送信するデータ量を低減でき、宅内機器５の状態通知に要する送信時間を短縮することができる。
【００４０】
（６）また、制御装置６によって、玄関ドアが開放状態であることが検出されたときに、宅内機器５の状態の情報を取得するようにした。そのため、宅内機器５の状態の情報を取得する回数を低減して通信コストを低減することができ、また、玄関ドアを施解錠するときに、宅内機器５の最新状態を把握することができる。
なお、本実施形態では、制御装置６、サーバ装置７、及び携帯電話機１が宅内機器５のリストを随時取得する例を示したが、例えば、一定時間毎にリストを取得するようにしてもよいし、新しい宅内機器５の追加が検出されたときにリストを取得してもよい。
また、宅内機器５の状態に関する情報を携帯電話機１のディスプレイを利用して通知する方法を示したが、例えば、携帯電話機１のアラームを鳴らしたり、バイブレーション機能を利用したりすることで、前記情報を通知するようにしてよい。
【図面の簡単な説明】
【００４１】
【図１】機器制御システムの概略構成を示す構成図である。
【図２】携帯電話機の内部構成を示すブロック図である。
【図３】配列データを説明するための説明図である。
【図４】制御装置の内部構成を示すブロック図である。
【図５】サーバ装置の内部構成を示すブロック図である。
【図６】情報収集処理のフローを示すフローチャートである。
【図７】情報送信処理のフローを示すフローチャートである。
【図８】従来の機器制御システムの動作を説明するための説明図である。
【符号の説明】
【００４２】
１は携帯電話機、２は非接触ＩＣリーダ／ライタ、３は電気錠、４はドア開閉センサ、５は宅内機器、６は制御装置、７はサーバ装置、８は非接触ＩＣチップ、９はアプリケーション制御部、１０はネットワーク、１１は宅内ネットワーク、１２は通信部、１３は家電機器監視部、１４はリーダ制御部、１５は電気鍵制御部、１６は情報通知部、１７は管理制御部、１８は通信部、１９は家電機器監視部、２０は管理制御部
【図１】
2008306534.tif 000003
【図２】
2008306534.tif 000004
【図３】
2008306534.tif 000005
【図４】
2008306534.tif 000006
【図５】
2008306534.tif 000007
【図６】
2008306534.tif 000008
【図７】
2008306534.tif 000009
【図８】
2008306534.tif 000010